(57)【要約】【課題】  雨水等の排水特性の向上を図るとともに道路の景観向上も図る。【解決手段】コンクリート製の側溝本体ブロック２と側溝蓋３とを備える。側溝本体ブロック２は、内部に排水流路１４を構成し、天井部１１の長さ方向の略中央領域に排水流路１４に開口する開口部１５が形成されるとともに、天井部１１の開口部１５を挟む両側領域１１ａ、１１ｂに第１排水部１６と第２排水部１７とが形成される。側溝蓋３は、側溝本体ブロック２の開口部１５を閉塞して組み合わされ、第１排水部１６と第２排水部１７と同一直線上に配列される排水部２５、２６が形成される。【選択図】  図１
2005315012.tif 000002
【特許請求の範囲】
【請求項１】
内部に暗渠の排水流路を構成し、天井部の長さ方向の略中央領域に上記排水流路を外方に開口させる横長矩形の開口部が形成されるとともに、この開口部を挟む両側の暗渠領域に上記排水流路内への排水を行う第１排水部と第２排水部とが形成されたコンクリート製の側溝本体ブロックと、
上記側溝本体ブロックの上記開口部の形状とほぼ等しく形成され、上記排水流路内への排水を行う横長矩形の排水部が形成されたコンクリート製の側溝蓋とを備え、
上記側溝本体ブロックに対して上記側溝蓋が上記開口部を閉塞して組み合わされることによって上記排水流路を全長に亘って暗渠として構成した状態で、上記側溝本体ブロックの天井部と上記側溝蓋とによる天井構成部位に、上記側溝本体ブロックの上記第１排水部及び上記第２排水部と上記側溝蓋の排水部とが長さ方向に対して略同一直線上に配列されて構成されることを特徴とする側溝装置。
【請求項２】
上記側溝本体ブロックの上記第１排水部及び上記第２排水部と上記側溝蓋の上記排水部とが、上記側溝本体ブロックや上記側溝蓋に厚み方向に貫通して形成された排水口を有する排水開口と、この排水開口内に充填した多孔質アスファルト材が硬化してなる排水性を有する排水充填材部とから構成されることを特徴とする請求項１に記載の側溝装置。
【請求項３】
上記側溝本体ブロックの上記第１排水部及び上記第２排水部と上記側溝蓋の上記排水部とが、それぞれの上記排水充填材部を、地色と異なる色調に着色されて形成されることを特徴とする請求項２に記載の側溝装置。
【請求項４】
上記側溝本体ブロックの上記天井部と上記側溝蓋とが、微小凸部を全面に形成してなる滑止め表面層を有することを特徴とする請求項１乃至請求項３のいずれか１項に記載の側溝装置。
【請求項５】
上記側溝本体ブロックの少なくとも一方の側面部に、排水性舗装が施された表層の厚み範囲の高さ位置に排水性を有する排水充填材が充填された第５排水部が形成されていることを特徴とする請求項１乃至請求項４のいずれか１項に記載の側溝装置。
【発明の詳細な説明】
【技術分野】
【０００１】
本発明は、例えば道路等の路肩に沿って敷設されて暗渠の排水流路を構成する側溝装置に関する。
【背景技術】
【０００２】
側溝装置は、道路等の路肩に沿って敷設され、路上に降った雨水等を排水する。側溝装置は、一般にＵ字溝ブロックを並べて設置するとともに、それぞれの開口部に蓋体を組み合わせて構成されている。側溝装置には、本体ブロックに対して蓋体も天井部として一体に形成することによって、内部に暗渠の排水流路を構成した装置も用いられている。暗渠型側溝装置は、一般に本体ブロックの天井部に排水流路を清掃するための開口部が形成されており、この開口部に排水流路を閉塞する蓋体が組み合わされて構成される（例えば特許文献１及び特許文献２参照）。
【０００３】
暗渠型側溝装置は、蓋体にステンレス等の耐腐食性の大きい金属材を格子状に組んで構成したグレーチング等を組み込むことによって、雨水等を排水流路内に流し込むように構成している。暗渠型側溝装置においては、蓋体にグレーチングを組み込む構造に代えて、開口部の両側の天井部位に排水流路内へと雨水等を流し込む排水構造を備えた装置も提供されている（例えば特許文献３参照）。
【０００４】
【特許文献１】特開平７−１０２６２３号公報
【特許文献２】特開２０００−３０３５４７号公報
【特許文献３】登録実用新案第３０４７４６６号公報
【発明の開示】
【発明が解決しようとする課題】
【０００５】
側溝装置は、雨水等が路面に溜まることなく排水流路内へと素早く排水させる排水機能ばかりでなく、歩行者や車両等が滑ったりつっかかることなく安全に通行させる機能或いは車両等の通行時に騒音を発生させない機能等が備えられる。従来の側溝装置においては、もっぱら効率的な排水機能を確保するために開口部にグレーチングを単体で或いは大きなグレーチングを組み込んだ蓋体が多く使用されているが、上述したグレーチングの構造から滑りやすい、ハイヒールのかかとの入り込み、車両の走行時の騒音発生、目詰まりによる排水性の低下やゴミ付着による景観の低下等の問題があった。側溝装置においては、例えば栓のような小型のグレーチングを組み込んだ場合に、排水効率が著しく低下する。
【０００６】
ところで、最近では、それぞれの市町村において特徴ある独自の町作り運動が進められており、例えば道路に沿った街路樹や花壇等の設置或いは道路や歩道のカラー化等が推進されている。側溝装置は、道路等の路肩に沿ってほぼ全域に亘って敷設される施設であり、道路の景観を構成する重要な施設として位置付けすることも可能でもある。しかしながら、側溝装置は、従来上述した排水機能を達成することを目的として種々の改良が図られているものの、道路の景観機能については全く着目されていなかった。
【０００７】
したがって、本発明は、雨水等の排水特性の向上を図るとともに道路の景観向上も図る側溝装置を提供することを目的に提案されたものである。
【課題を解決するための手段】
【０００８】
上述した目的を達成する本発明にかかる側溝装置は、コンクリート製の側溝本体ブロックと側溝蓋とを備える。側溝装置は、側溝本体ブロックが、内部に排水流路を構成し、天井部の長さ方向の略中央領域に排水流路を外方に開口させる横長矩形の開口部が形成されるとともに、天井部の開口部を挟む両側の暗渠領域に排水流路内への排水を行う第１排水部と第２排水部とが形成される。側溝装置は、側溝蓋が、側溝本体ブロックの開口部の形状とほぼ等しく形成され、排水流路内への排水を行う横長矩形の排水部が形成される。
【０００９】
また、本発明にかかる側溝装置は、側溝本体ブロックの第１排水部及び第２排水部或いは側溝蓋の排水部が、側溝本体ブロックや側溝蓋に厚み方向に貫通して形成された排水溝を有する排水開口と、この排水開口内に充填した多孔質アスファルト材が硬化してなる排水性を有する排水充填材部とから構成される。側溝装置においては、各排水開口内に多孔質アスファルト材を充填して形成された排水充填材部が、道路から流れ込む雨水等を浸透させて内部の排水口から排水流路へと排水する。
【００１０】
さらに、本発明にかかる側溝装置は、側溝本体ブロックの第１排水部及び第２排水部或いは側溝蓋の排水部とが、それぞれの排水充填材部を、地色と異なる色調に着色されて形成される。側溝装置においては、異なる色調の排水充填材部が独自の雰囲気を醸し出して道路の景観を向上させる。
【００１１】
さらに、本発明にかかる側溝装置は、側溝本体ブロックの天井部と側溝蓋とが、微細凸部を全面に形成してなる滑止め表面層を有する。側溝装置によれば、歩行者等が滑らずに安全に歩行させるようにする。
【００１２】
さらに、本発明にかかる側溝装置は、側溝本体ブロックの少なくとも一方の側面部に、排水性舗装が施された表層の厚み範囲の高さ位置に排水性を有する排水充填材が充填された第３排水部が形成されてる。側溝装置によれば、道路に浸透した雨水等が第３排水部を介して排水流路内へと流れ込むようにする。
【００１３】
側溝装置においては、側溝本体ブロックに対して側溝蓋が、開口部を閉塞して組み合わされることによって排水流路を全長に亘って暗渠として構成する。側溝装置においては、この状態で側溝本体ブロックと側溝蓋とによる天井構成部位に、側溝本体ブロックの第１排水部及び第２排水部と側溝蓋の排水部とが長さ手方向に対して略同一直線上に配列されて複数の排水部を構成する。側溝装置においては、側溝蓋を取り外すことによって排水流路内の清掃等が行われる。側溝装置においては、各排水部が排水充填材部によって閉塞されていることから、排水流路内に土砂が流入することは無い。
【発明の効果】
【００１４】
以上のように構成された本発明にかかる側溝装置によれば、道路の路肩等に沿って暗渠の排水流路を構成することから、歩行者の落下や車両の脱輪等の発生を確実に防止する。側溝装置によれば、各ブロック毎に第１排水部及び第２排水部と排水部からなる複数の排水部が設けられていることから、道路に降った雨水を各排水部を介して排水流路内に効率的に排水することが可能である。側溝装置によれば、各ブロック毎に複数の排水部が同一直線上に位置して整然と配列されることから、これら排水部があたかも路肩部分を縁取る印象を感じさせて独自の雰囲気を醸し出して道路の景観を向上させる。
【００１５】
側溝装置によれば、各排水部が開口部に多孔質アスファルト材を充填して構成したことから、排水流路内への土砂の流入が防止され、歩行者が開口部に靴を引っ掛けることも無くバリアフリー態様を構成して安全に歩行することを可能とするとともに排水性や道路の景観も保持されるようにする。側溝装置によれば、各排水部に適宜の着色を施すことにより、道路に独自な雰囲気作りを行うことを可能とする。側溝装置によれば、全面に亘って表面に滑り止め処理が施されていることによって、歩行者等の安全通行を可能とする。
【発明を実施するための最良の形態】
【００１６】
以下、本発明の実施の形態として図面に示した側溝装置について詳細に説明する。側溝装置１は、図１乃至図３に示すように、多数個の側溝本体ブロック２と、これら側溝本体ブロック２にそれぞれ組み合わされる多数個の側溝蓋３とにより構成される。側溝装置１は、各側溝本体ブロック２が、例えば車道４と歩道５とを区分する路肩部位に設置された縁石ブロック６に沿って掘削した敷設溝７内に所定の勾配を付して長さ方向に並べて設置されることにより、側溝を構成する。
【００１７】
側溝装置１は、設置施工の具体例として、例えば図３に示すように車道４に沿って所定の深さに掘削した敷設溝７の底部に基礎砕石を投入して転圧することによって基礎層８を形成し、この基礎層８上にコンクリートを打設して基礎コンクリート層９を形成するとともに、この基礎コンクリート層９上に調整モルタル層１０を介して側溝本体ブロック２が設置される。側溝装置１は、例えば側溝本体ブロック２と側溝蓋３とがプレキャストコンクリート製品として工場において製造され、トラック等によって現場に搬入されて上述した敷設溝７内に設置される。
【００１８】
側溝本体ブロック２は、図２乃至図４に示すように、一体の天井部１１と、相対する側面部１２ａ、１２ｂと、底面部１３とからなる横長矩形の四角筒状を呈して成形され、内部に暗渠の排水流路１４が長さ方向の全長に亘って形成されている。側溝本体ブロック２には、天井部１１に、開口部１５と、第１排水部１６と、第２排水部１７とが形成されている。側溝本体ブロック２には、天井部１１の表面に滑止め層１８が形成されている。側溝本体ブロック２には、両側の端面部１９ａ、１９ｂにそれぞれ嵌合凹部２０ａ、２０ｂ（以下、嵌合凹部２０と総称する。）が形成されている。
【００１９】
開口部１５は、天井部１１の長さ領域の中央部に位置して排水流路１４に大きく開口する横長矩形の開口部からなる。開口部１５には、相対する長さ方向の側面壁の底部に、側溝蓋３の側縁底部を支える受け段部１５ａ、１５ａがそれぞれ形成されている。なお、側溝本体ブロック２は、例えば天井部１１が長さ約２０００ｍｍ、幅約４２ｍｍの大きさに形成される場合に、開口部１５が長さ約１０００ｍｍ、幅約３００ｍｍに形成する。したがって、側溝本体ブロック２は、天井部１１に、開口部１５の両側に位置してそれぞれ長さが約５００ｍｍの第１暗渠領域部１１ａと第２暗渠領域部１１ｂとが構成される。
【００２０】
側溝本体ブロック２には、天井部１１に、第１暗渠領域部１１ａに位置して第１排水部１６が形成されるとともに、第２暗渠領域部１１ｂに位置して第２排水部１７が形成される。第１排水部１６及びと第２排水部１７は、第１暗渠領域部１１ａと第２暗渠領域部１１ｂとに、それぞれその長さ方向及び幅方向の中央部に位置して互いに左右対称の形状で形成される。第１排水部１６及び第２排水部１７は、排水流路１４に開口する横長矩形の排水開口２１ａ、２１ｂ（以下、排水開口２１と総称する。）と、これら排水開口２１内に充填形成された排水充填材部２２ａ、２２ｂ（以下、排水充填材部２２と総称する。）とから構成される。
【００２１】
第１排水部１６及び第２排水部１７は、排水開口２１が、それぞれ長さ約３７０ｍｍ、幅約５３ｍｍの大きさを有している。第１排水部１６及び第２排水部１７は、天井部１１の第１暗渠領域部１１ａと第２暗渠領域部１１ｂの領域内において、それぞれ開口縁部２３ａ、２３ｂ（以下、開口縁部２３と総称する。）によって周囲を縁ち取られるようにして形成されている。第１排水部１６及び第２排水部１７は、例えば開口縁部２３を天井部１１の地色と異なる色調に着色されたポリマコンクリート（レジンコンクリート）で成形することにより、縁ち取りがより強調されるようにしてもよい。
【００２２】
なお、第１排水部１６及び第２排水部１７については、上述した構造に限定されるものでは無く、種々の構造を以って天井部１１に形成される。第１排水部１６及び第２排水部１７は、天井部１１に矩形の凹部として構成されるとともに、この凹部の底部に排水流路１４に貫通する多数個の排水口を設けた構造であってもよい。
【００２３】
側溝本体ブロック２は、上述した構成によって、天井部１１に開口部１５を挟んだ両側の第１暗渠領域部１１ａと第２暗渠領域部１１ｂとに、それぞれ長さ方向に対して略同一直線上に配列された、互いに同一形状の横長矩形の第１排水部１６及び第２排水部１７とを形成してなる。
【００２４】
排水充填材部２２は、排水開口２１内に多孔質のポリマアスファルト材を充填して硬化させることによって形成される。ポリマアスファルト材は、周知のようにセメントコンクリートの結合材となるセメント水和物の一部をポリマ（高分子重合体）で代替えしたコンクリートであり、様々な性質のアスファルト材やコンクリート材の成形が可能である。排水充填材部２２は、多孔質性のポリマアスファルト材によって成形することによって排水開口２１を閉塞するが、雨水等を通過させて排水流路１４へと流し込む良好な排水特性を有している。
【００２５】
排水充填材部２２は、上述したように排水開口２１にポリマアスファルト材を充填してこれを閉塞して形成されることから、排水流路１４内に土砂等の流入を防止するとともに歩行者が排水開口２１につま先を引っかけたりハイヒールのかかとを入り込ませることを防止する。また、排水充填材部２２は、ポリマを適宜に着色することが可能であることから、天井部１１と異なる任意の色調に形成することが可能である。なお、排水充填材部２２は、特に開口縁部２３が形成されない排水開口２１内に直接形成されることによって、第１排水部１６及び第２排水部１７を構成するようにしてもよい。また、第１排水部１６及び第２排水部１７は、１個の排水開口２１と排水充填材部２２とによって構成したが、それぞれ同一直線上に位置する複数の排水開口２１と排水充填材部２２とによって構成するようにしてもよい。
【００２６】
側溝本体ブロック２は、天井部１１に上述した適宜の色調の排水充填材部２２を有する同一直線上に配列された横長矩形の第１排水部１６と第２排水部１７とを形成することによって、直線性を強く印象付ける独自の外観を呈する。
【００２７】
側溝本体ブロック２は、天井部１１の表面１１ｃの全面に微小な凸部を一体に形成することにより滑止め層１８を形成してなる。滑止め層１８は、例えば天井部１１の表面１１ｃに高さが約１ｍｍ乃至２ｍｍ程度の微小な円錐形凸部を相互の間隔を約１ｃｍ乃至２ｃｍを以って一体に形成してなる。滑止め層１８は、かかる仕様により、表面１１ｃが湿った状態であっても滑り抵抗値が４０ＢＰＮ以上とされて滑り難く、排水性が良く、歩行者に違和感を与えず、車椅子等もスムーズに走行可能であり、車のヘッドライトの照射に対する乱反射も低減させる。
【００２８】
嵌合凹部２０は、図３に示すように側溝本体ブロック２の端面部１９ａ、１９ｂにそれぞれ形成された排水流路１４を取り巻く略四角形の凹部からなる。一方端面部１９ａの嵌合凹部２０には、ゴム等の弾性材により四角枠状に成形された図示しないパッキン材がはめ合わされる。嵌合凹部２０は、パッキン材の厚みよりも小さな深さとされ、はめ合わされたパッキン材を全域に亘って端面部１９ａに突出させる。
【００２９】
以上のように構成された側溝本体ブロック２Ａは、調整モルタル層１０によって勾配等を調整され、図１に示すようにすでに設置された側溝本体ブロック２Ｂに対して長さ方向に並べられて道路に沿って形成された敷設溝７内に設置される。側溝本体ブロック２Ａは、一方端面部１９ａを既設した側溝本体ブロック２Ｂの相対する他方端面部１９ｂに突き合わされて設置され、突出したパッキン材を側溝本体ブロック２Ｂ側の嵌合凹部２０に嵌合させるようにしてこの側溝本体ブロック２Ｂ側へと引き寄せられる。側溝本体ブロック２Ａと既設した側溝本体ブロック２Ｂとは、突き合わせ部位をパッキン材によってシールされて互いの排水流路１４を連通させて組み合わされる。
【００３０】
側溝本体ブロック２には、側面部１２ａ、１２ｂに、端面部１９ａ、１９ｂの近傍に位置して取付け孔２４ａ、２４ｂ（以下、取付け孔２４と総称する。）が形成されており、図示しない取付け用アンカボルトが埋設される。側溝本体ブロック２は、詳細を省略するが、取付け用アンカボルトに結合用ブラケット部材がそれぞれ組み付けられ、この結合用ブラケット部材の他端側を隣に設置される側溝本体ブロック２の取付け用アンカボルトに掛け合わせてこれを引き寄せるようにする。
【００３１】
以上のように構成した側溝本体ブロック２には、開口部１５に側溝蓋３が組み合わされる。側溝蓋３は、開口部１５の開口寸法とほぼ同等の外形寸法を有して形成されており、開口部１５に落とし込まれて側縁底部を受け段部１５ａ、１５ａ上に支えられることにより開口部１５に組み合わされる。側溝蓋３は、受け段部１５ａ、１５ａの表面１１ｃからの高さ寸法とほぼ等しい厚みを有しており、開口部１５に組み合わされた状態においてその表面３ａが表面１１ｃと略同一面を構成する。
【００３２】
側溝蓋３には、図５に示すように第３排水部２５及び第４排水部２６とが形成されている。これら第３排水部２５及び第４排水部２６は、幅方向の中央部に位置して互いに左右対称の形状で形成される。また、第３排水部２５及び第４排水部２６は、側溝蓋３が側溝本体ブロック２に組み合わされた状態において、側溝本体ブロック２側に同一直線上に位置して形成された第１排水部１６及び第２排水部１７と同一直線上に位置される。
【００３３】
第３排水部２５及び第４排水部２６は、それぞれ第１排水部１６及び第２排水部１７とほぼ同一形状に形成されており、側溝蓋３を貫通して排水流路１４に開口する横長矩形の排水開口２７ａ、２７ｂ（以下、排水開口２７と総称する。）と、これら排水開口２７内に充填形成された排水充填材部２８ａ、２８ｂ（以下、排水充填材部２８と総称する。）とから構成される。
【００３４】
第３排水部２５及び第４排水部２６は、中央部に約１３０ｍｍの間隔を以って側溝蓋３に形成されており、開口縁部によって縁取られて全長で長さ約３７０ｍｍ、幅約５３ｍｍの大きさを有している。第３排水部２５及び第４排水部２６は、具体的には全体領域内にそれぞれ３個の排水開口２７が形成されてなる。なお、これら第３排水部２５及び第４排水部２６についても、側溝蓋３の表面に開口する凹部と、この凹部に形成した複数の貫通孔とから構成するようにしてもよい。
【００３５】
第３排水部２５及び第４排水部２６も、排水充填材部２８が、各排水開口２７内に多孔質のポリマアスファルト材を充填して硬化させることによって形成される。排水充填材部２８は、多孔質性のポリマアスファルト材によって成形することによって各排水開口２７を閉塞するが、雨水等を通過させて排水流路１４へと流し込む良好な排水特性を有している。
【００３６】
排水充填材部２８も、各排水開口２７を閉塞して形成されることから、側溝蓋３上において歩行者が排水開口２７につま先を引っかけたりハイヒールのかかとを入り込ませることを防止する。また、排水充填材部２８は、上述した側溝本体ブロック２側の排水充填材部２２と同一色調に形成される。
【００３７】
側溝装置１においては、側溝本体ブロック２の開口部１４に側溝蓋３を組み合わせて構成されるが、それぞれ同一の横長矩形状を呈しかつ同一色調の側溝本体ブロック２側の第１排水部１６及び第２排水部１７の間に側溝蓋３側の第３排水部２５及び第４排水部２６が同一直線上に位置して配列された構造となる。したがって、側溝装置１においては、これら排水部が直線性を強く印象付ける独自の外観を呈する。
【００３８】
側溝蓋３にも、表面３ａに微小な円錐形凸部を一体に形成することによって滑止め層２９が形成されている。滑止め層２９も、側溝本体ブロック２側の滑止め層１８と同一仕様の、高さが約１ｍｍ乃至２ｍｍ程度の微小な凸部を相互の間隔を約１ｃｍ乃至２ｃｍとして一体に形成してなる。滑止め層２９は、かかる仕様により、側溝本体ブロック２側の滑止め層１８と同様に表面３ａが湿った状態であっても滑り抵抗値が４０ＢＰＮ以上とされて滑り難く、排水性が良く、歩行者に違和感を与えず、車椅子等もスムーズに走行可能であり、車のヘッドライトの照射に対する乱反射も低減させる。
【００３９】
なお、側溝蓋３は、上述したように同一直線上に位置して第３排水部２５と第４排水部２６とを形成するようにしたが、これらを中央領域でも連続させて横長の１個の排水部によって構成するようにしてもよい。また、側溝蓋３は、第３排水部２５及び第４排水部２６或いは１個の排水部を側溝本体ブロック２側と同一色調のポリマコンクリートによって縁取りを形成するが、排水開口に排水充填材部に代えて例えばステンレスリッドをはめ込むようにしてよい。勿論、ステンレスリッドには、この場合に各リッドを排水開口内に横長で配列されるようにしたものが用いられる。
【００４０】
側溝装置１においては、それぞれ側溝蓋３を組み合わせた多数個の側溝本体ブロック２が道路の路肩等に沿って掘削された敷設溝７内に順次並べて設置されることにより、暗渠の排水流路１４を構成して、歩行者の落下や車両の脱輪等の発生を確実に防止する。側溝装置１においては、側溝本体ブロック２と側溝蓋３との表面にそれぞれ同一仕様でかつ段差の無い滑止め層１８、２９が形成されることによって、歩行者が開口部に靴を引っ掛けることの無いバリアフリー態様を構成して安全に歩行することを可能とする。
【００４１】
側溝装置１においては、各側溝本体ブロック２に第１排水部１６及び第２排水部１７を形成するとともに、滑止め層２９を形成した側溝蓋３に第３排水部２５及び第４排水部２６とを形成し、これら各排水部が滑止め層と異なる色調で同一直線上に整然と配列されてあたかも路肩部分を縁取る印象を感じさせるように構成してなる。したがって、側溝装置１においては、道路に降った雨水を複数個の各排水部１６、１７、２５、２６を介して排水流路１４内に効率的に排水するとともに、路肩に沿った排水部の直線性の印象がより強調して道路の景観を向上させるとともに独自な雰囲気作りを行うことを可能とする。
【００４２】
側溝装置１においては、各排水部１６、１７、２５、２６が排水開口２１、２７にそれぞれ適宜の色調の多孔質アスファルト材からなる排水充填材部２２、２８を充填して構成したことから、歩行者が靴を引っ掛けることの無いようにバリアフリー態様を構成して安全に歩行することを可能とするとともに排水性も保持されるようにし、道路に独自な雰囲気作りを行う。
【００４３】
なお、側溝本体ブロック２及び側溝蓋３は、構成各部が上述した寸法値に限定されるものでは無く、側溝の仕様に応じて適宜形成されることは勿論である。側溝本体ブロック２及び側溝蓋３は、第１排水部１６及び第２排水部１７と第３排水部２５及び第４排水部２６とを同一仕様で形成するようにしたが、直線性を失わない範囲で例えば色違いとしたり互いの長さを代えたりして構成するようにしてもよい。
【００４４】
図６及び図７に第２の実施の形態として示した側溝本体ブロック３０は、少なくとも車道４側の側面部３１に第５排水部３２ａ乃至３２ｄ（以下、第５排水部３２と総称する。）が形成された構成に特徴を有している。なお、側溝本体ブロック３０は、歩道５側の側面部にも同様の排水部を設けるようにしてもよい。側溝本体ブロック３０は、その他の構成を上述した側溝本体ブロック２と同様とすることから、対応する部位に同一符号を付すことによってその説明を省略する。
【００４５】
第５排水部３２は、図６に示すように側面部３１の上縁部に沿って長さ方向に並んで形成された横長矩形の複数の排水開口３３ａ乃至３３ｄ（以下、排水開口３３と総称する。）と、これら排水開口３３にそれぞれ充填した多孔質アスファルト材からなる排水充填材部３４ａ乃至３４ｄ（以下、排水充填材部３４と総称する。）とから構成される。第５排水部３２は、側面部３１に上縁部からの高さ位置を後述する車道４の排水性表面層４０の厚み範囲内でかつ側溝蓋３を保持する受け段部１５ａの下方に位置して形成されている。
【００４６】
なお、第５排水部３２は、後述するように車道４の排水性表面層４０により埋設される部位であることから、側溝本体ブロック３０の機械的強度を損なわない範囲で排水開口３３を適宜の大きさや形状或いは個数により構成するようにしてもよい。第５排水部３２は、排水開口３３を例えば多数個の丸孔や１個の矩形開口部によって構成してもよい。
【００４７】
排水充填材部３４は、上述した側溝装置１の各排水部の排水充填材部と同様に多孔質性のポリマアスファルト材を排水開口３３に充填して成形することによって、第５排水部３２に排水性を付与する。また、排水充填材部３４は、排水開口３３を閉塞することによって土砂等が排水流路１４内に流れ込まないようにする。したがって、排水充填材部３４は、特に表面側の各排水部のように互いに同一素材や同一色調とする必要は無く、多孔質性のポリマアスファルト材ばかりでなく例えば耐食性を有する金網や逆勾配を付した格子部材等であってもよい。
【００４８】
側溝本体ブロック３０も、図７に示すように道路の路肩等に沿って掘削された敷設溝７内に順次並べて設置される。車道４は、この場合に基礎コンクリート９の上層に排水性アスファルト舗装を施して排水性表面層４０が形成される。排水性アスファルト舗装は、空隙率の高い多孔質のアスファルト混合物を用いた舗装方法であり、水はね、ハイドロプレーニング現象の低減、夜間雨天時の視認性向上、すべり抵抗或いは車両の走行騒音の低減等の特徴を有している。
【００４９】
排水性表面層４０は、車道４に降った雨水等を基礎コンクリート層９へと浸透させる。側溝本体ブロック３０は、図７に示すように第５排水部３２が排水性表面層４０の層内に位置して形成されており、排水性表面層４０を浸透した雨水等を排水流路１４内へと流し込む。
【００５０】
なお、側溝本体ブロック３０は、車道４側に第５排水部３２を形成するようにしたが、歩道５側にも同様の第６排水部を形成するようにしてもよい。
【図面の簡単な説明】
【００５１】
【図１】側溝装置の要部斜視図である。
【図２】側溝装置の要部平面図である。
【図３】側溝装置を設置した状態の要部縦断面図である。
【図４】側溝本体ブロック縦断面図である。
【図５】側溝蓋の平面図である。
【図６】第２の実施の形態として示す側溝本体ブロックの斜視図である。
【図７】側溝装置を設置した状態の要部縦断面図である。
【符号の説明】
【００５２】
１  側溝装置、２  側溝本体ブロック、３  側溝蓋、１１  天井部、１４  排水流路、１５  開口部、１６  第１排水部、１７  第２排水部、１８  滑止め層、２０  嵌合凹部、２１  排水開口、２２  排水充填材部、２３  開口縁部、２５  第３排水部、２６  第４排水部、２７  排水開口、２８  排水充填材部、２９  滑止め層、３０  側溝本体ブロック、３１  側面部、３２  第４排水部、３３  排水開口、３４  排水充填材部、４０  排水性表面層
【図１】
2005315012.tif 000003
【図２】
2005315012.tif 000004
【図３】
2005315012.tif 000005
【図４】
2005315012.tif 000006
【図５】
2005315012.tif 000007
【図６】
2005315012.tif 000008
【図７】
2005315012.tif 000009